(57)【要約】【課題】まだ劣化していない部位があるにも拘わらず組電池が廃棄されるのを抑制する。【解決手段】複数の電池セルを有する電池モジュール２２と冷却風の流路を形成する複数のリブが形成された仕切プレート２４とを複数積層してなる組電池２０が劣化したときに、仕切プレート２４を、仕切プレート２４の複数のリブとは異なる部位に複数のリブが形成された交換用仕切プレート４４に交換することにより、組電池４０を構成する。これにより、電池モジュール２２のセル内部では、劣化度の小さい部位が活用され、組電池２０の性能を回復させることができ、まだ劣化していない部位があるにも拘わらず組電池２０が廃棄されるのを抑制することができる。【選択図】図２
2011096548.tif 000002
【特許請求の範囲】
【請求項１】
少なくとも１つの単電池を有する電池モジュールと冷却媒体の流路を形成する複数のリブが形成されたプレートとを複数積層してなる組電池がある程度劣化したときに該組電池の性能の回復を図る組電池の性能回復方法であって、
前記プレートを該プレートの複数のリブが形成された部位とは異なる部位に複数のリブが形成された交換用プレートに交換することにより組電池を構成する、
ことを特徴とする組電池の性能回復方法。
【請求項２】
請求項１記載の組電池の性能回復方法であって、
前記プレートは、片面に複数のリブが形成された部材であり、
前記プレートとは異なる部材として片面に複数のリブが形成された前記交換用プレートを用いて組電池を構成する、
組電池の性能回復方法。
【請求項３】
請求項１記載の組電池の性能回復方法であって、
前記プレートは、半周回転させると複数のリブが形成された部位とは異なる部位に複数のリブが配置される部材であり、
前記プレートを半周回転させたものを前記交換用プレートとして用いて組電池を構成する、
組電池の性能回復方法。
【請求項４】
請求項３記載の組電池の性能回復方法であって、
前記プレートは、両面に複数のリブが形成されると共に一方の面でリブが形成された部位に対向する他方の面の部位にはリブが形成されない部材であり、
前記プレートの両面を反転させたものを前記交換用プレートとして用いて組電池を構成する、
組電池の性能回復方法。
【請求項５】
少なくとも１つの単電池を有する電池モジュールと冷却媒体の流路を形成する複数のリブが形成されたプレートとを複数積層してなる組電池であって、
前記プレートは、半周回転させると複数のリブが形成された部位とは異なる部位に複数のリブが配置される、
組電池。
【発明の詳細な説明】
【技術分野】
【０００１】
本発明は、組電池の性能回復方法および組電池に関する。
【背景技術】
【０００２】
従来、この種の組電池としては、複数の単電池を積層してなる積層体の両端に複数のリブが形成されたエンドプレートを配置して積層体とエンドプレートとの間に冷却媒体の流路を形成するものが提案されている（例えば、特許文献１参照）。この組電池では、形成された冷却媒体の流路に冷却媒体を供給することにより、組電池の冷却性能の向上を図っている。
【先行技術文献】
【特許文献】
【０００３】
【特許文献１】特開２００２−２０３５２７号公報
【発明の概要】
【発明が解決しようとする課題】
【０００４】
しかしながら、上述の組電池では、エンドプレートのリブにより作用する力によって積層体を形成する単電池の電極等の電池内部に部分的に圧力差が生じ、劣化しやすい部位と劣化しにくい部位とが形成されることから、全体として電池寿命が短くなり、まだ劣化していない部位があるにも拘わらず、組電池を廃棄する場合があった。特に、単電池を積層した積層体の中間にリブが形成されたプレートを複数配置して冷却媒体の流路を構成してなる組電池では、上述の場合が顕著に生じることとなる。
【０００５】
本発明の組電池の性能回復方法および組電池は、まだ劣化していない部位があるにも拘わらず組電池が廃棄されるのを抑制することを主目的とする。
【課題を解決するための手段】
【０００６】
本発明の組電池の性能回復方法および組電池は、上述の主目的を達成するために以下の手段を採った。
【０００７】
本発明の組電池の性能回復方法は、
少なくとも１つの単電池を有する電池モジュールと冷却媒体の流路を形成する複数のリブが形成されたプレートとを複数積層してなる組電池がある程度劣化したときに該組電池の性能の回復を図る組電池の性能回復方法であって、
前記プレートを該プレートの複数のリブが形成された部位とは異なる部位に複数のリブが形成された交換用プレートに交換することにより組電池を構成する、
ことを特徴とする。
【０００８】
この本発明の組電池の性能回復方法では、少なくとも１つの単電池を有する電池モジュールと冷却媒体の流路を形成する複数のリブが形成されたプレートとを複数積層してなる組電池がある程度劣化したときに、そのプレートを、プレートの複数のリブが形成された部位とは異なる部位に複数のリブが形成された交換用プレートに交換することにより、組電池を構成する。電池モジュールの単電池の内部で一部の部位への圧力が他の部位への他の部位への圧力よりも大きいと、その一部の部位は他の部位よりも内部抵抗が大きくなりやすく電流密度が小さくなりやすいために劣化が進行しにくい。したがって、プレートの複数のリブが形成された部位とは異なる部位に複数のリブが形成された交換用プレートを用いて組電池を構成することにより、単電池の内部で劣化の程度が小さい部位が活用され、組電池の性能を回復させることができる。この結果、まだ劣化していない部位があるにも拘わらず組電池が廃棄されるのを抑制することができる。
【０００９】
こうした本発明の組電池の性能回復方法において、前記プレートは、片面に複数のリブが形成された部材であり、前記プレートとは異なる部材として片面に複数のリブが形成された前記交換用プレートを用いて組電池を構成する、ものとすることもできる。こうすれば、まだ劣化していない部位があるにも拘わらず組電池が廃棄されるのをより確実に抑制することができる。
【００１０】
また、本発明の組電池の性能回復方法において、前記プレートは、半周回転させると複数のリブが形成された部位とは異なる部位に複数のリブが配置される部材であり、前記プレートを半周回転させたものを前記交換用プレートとして用いて組電池を構成する、ものとすることもできる。こうすれば、まだ劣化していない部位があるにも拘わらず組電池が廃棄されるのをより確実に抑制することができる。また、組電池を構成する部品点数の低減を図ることができる。この場合、前記プレートは、両面に複数のリブが形成されると共に一方の面でリブが形成された部位に対向する他方の面の部位にはリブが形成されない部材であり、前記プレートの両面を反転させたものを前記交換用プレートとして用いて組電池を構成する、ものとすることもできる。
【００１１】
本発明の組電池は、
少なくとも１つの単電池を有する電池モジュールと冷却媒体の流路を形成する複数のリブが形成されたプレートとを複数積層してなる組電池であって、
前記プレートは、半周回転させると複数のリブが形成された部位とは異なる部位に複数のリブが配置される、
ことを要旨とする。
【００１２】
この本発明の組電池では、少なくとも１つの単電池を有する電池モジュールと冷却媒体の流路を形成する複数のリブが形成されたプレートとを複数積層してなる組電池において、そのプレートは、半周回転させると複数のリブが形成された部位とは異なる部位に複数のリブが配置される。電池モジュールの単電池の内部で一部の部位への圧力が他の部位への他の部位への圧力よりも大きいと、その一部の部位は他の部位よりも内部抵抗が大きくなりやすく電流密度が小さくなりやすいために劣化が進行しにくい。したがって、半周回転させると複数のリブが形成された部位とは異なる部位に複数のリブが配置されたプレートと電池モジュールとを複数積層してなる組電池では、組電池がある程度劣化したときにプレートを半周回転させたものに交換して組電池を構成することにより、単電池の内部で劣化の程度が小さい部位が活用され、組電池の性能を回復させることができる。この結果、まだ劣化していない部位があるにも拘わらず組電池が廃棄されるのを抑制することができる。
【図面の簡単な説明】
【００１３】
【図１】本発明の一実施例としての組電池の性能回復方法が適用される組電池２０の構成の概略および組電池２０の部品を用いて構成される組電池４０の構成の概略をそれぞれ示す構成図である。
【図２】劣化した組電池２０の断面を図１中Ａ−Ａ面から視た様子と組電池４０の断面を図１中Ｂ−Ｂ面から視た様子とを模式的に示す説明図である。
【図３】劣化した組電池２０の仕切プレート２４の構成の概略と組電池４０の交換用仕切プレート４４の構成の概略とをそれぞれ示す構成図である。
【図４】劣化した組電池２０の電池モジュール２２の内部における圧力と電流密度と劣化度との関係と組電池４０の電池モジュール２２の内部における圧力と電流密度と劣化度との関係との一例を示す説明図である。
【図５】変形例の組電池の性能回復方法を劣化した組電池１２０に適用して組電池１４０を組み立てる様子を説明する説明図である。
【図６】変形例の組電池の性能回復方法を劣化した組電池２２０に適用して組電池２４０を組み立てる様子を説明する説明図である。
【図７】変形例の組電池の性能回復方向を劣化した組電池３２０に適用して組電池３４０を組み立てる様子を説明する説明図である。
【図８】変形例の組電池の性能回復方法を劣化した組電池４２０に適用して組電池４４０を組み立てる様子を説明する説明図である。
【図９】変形例の組電池の性能回復方法を劣化した組電池５２０に適用して組電池５４０を組み立てる様子を説明する説明図である。
【発明を実施するための形態】
【００１４】
次に、本発明を実施するための形態を実施例を用いて説明する。
【実施例】
【００１５】
図１は、本発明の一実施例としての組電池の性能回復方法が適用される組電池２０の構成の概略および組電池２０の部品を用いて構成される組電池４０の構成の概略をそれぞれ示す構成図である。図中上側に示す組電池２０は、電気自動車やハイブリッド自動車に搭載された走行用モータと電力をやりとりする車載用の動力源などとして、所定期間（例えば、数年や十数年など）充放電を伴って使用され寿命に至ったと判断される程に劣化したものであり、図中下側に示す組電池４０は、こうして劣化した組電池２０に代えて同様の動力源などとして使用されるものである。劣化した組電池２０は、図示するように、二次電池としての複数のセルを有する電池モジュール２２と、図示しないブロワにより送風される外部からの冷却風の流路を形成する複数のリブが片面に形成された仕切プレート２４と、複数の電池モジュール２２が直列接続されるよう電池モジュール２２と仕切プレート２４とが交互に複数積層された積層体の各端面に取り付けられたエンドプレート３０，３２と、積層方向に十分に拘束されるよう電池モジュール２２の積層体をエンドプレート３０，３２と共に固定する固定バー３４，３５を含む４本の固定バーと、を備える。また、図中下側に示す組電池４０は、劣化した組電池２０の部品のうち、全ての電池モジュール２２については順序や向きも変更せずにそのまま用いると共に、全ての仕切プレート２４と一方のエンドプレート３２とについては複数の交換用仕切プレート４４と交換用エンドプレート４８とに交換することにより構成される。組電池２０および組電池４０の電池モジュール２２を構成する各セルは、図示しないが、リチウムイオン電池として構成されており、充放電に伴ってリチウムイオンを放出し吸蔵する正極活物質を有する正極，充放電に伴ってリチウムイオンを吸蔵し放出する吸蔵する負極活物質を有する負極，正極と負極との間に設けられたセパレータ，正極と負極とを満たす非水電解液を内部に有し、組電池２０の電池モジュール２２の各セルでは所定期間の充放電により電池電圧の低下や電池容量の低下などの劣化が生じている。
【００１６】
図２は、劣化した組電池２０の断面を図１中Ａ−Ａ面から視た様子と組電池４０の断面を図１中Ｂ−Ｂ面（組電池２０のＡ−Ａ面に相当する面）から視た様子とを模式的に示す説明図である。図中下側に示す組電池４０では、劣化した組電池２０との差異が分かり易くなるよう組電池２０と共通する部品の符号については図示を省略した。図から解るように、組電池２０の仕切プレート２４と組電池４０の交換用仕切プレート４４とでは、冷却風の流路を形成する片面に形成された複数のリブの配置が異なり、組電池２０のエンドプレート３２と組電池４０の交換用エンドプレート４８とについても同様に冷却風の流路を形成する片面（電池モジュール２２側）に形成された複数のリブの配置が異なる。なお、劣化した組電池２０における電池モジュール２２の拘束は、エンドプレート３０の一辺（図中上辺）に設けられたボルト取り付け部３１ａとエンドプレート３２の一辺（図中上辺）に設けられたボルト取り付け部３３ａとを貫通する固定バー３５をボルト３６ａ，３６ｂにより固定すると共に、エンドプレート３０の一辺に対向する他辺（図中下辺）に設けられたボルト取り付け部３１ｂとエンドプレート３２の一辺に対向する他辺（図示下辺）に設けられたボルト取り付け部３３ｂとを貫通する固定バー３７をボルト３８ａ，３８ｂにより固定するなど、残り２本を含む４本の固定バーをボルト固定することにより行なわれる。組電池２０および組電池４０では、こうした電池モジュール２２の拘束により、電池モジュール２２が充放電に伴って内部反応により膨張しようとしたときでも拘束された状態を十分に保持することができる。また、劣化した組電池２０の部品を用いた組電池４０の組み立ては、電池モジュール２２の固定バーによる拘束を解き、電池モジュール２２の間から仕切プレート２４を取り外し、電池モジュール２２の間に交換用仕切プレート４４を取り付け、電池モジュール２２の積層体をエンドプレート３０，４８と共に固定バーによって固定することにより行なわれる。エンドプレート３０については電池モジュール２２の端面に取り付けたままでもよいし、電池モジュール２２の端面から一旦取り外した後に再び取り付けてもよい。エンドプレート３０を電池モジュール２２の端面に再び取り付けるタイミングやエンドプレート３２を取り外すタイミング，交換用エンドプレート４８を新たに取り付けるタイミングは、電池モジュール２２の間から仕切プレート２４を取り外す前でもよいし、仕切プレート２４の取り外しと交換用仕切プレート４４の取り付けとの間でもよいし、交換用仕切プレート４４の取り付け後でも構わない。
【００１７】
図３は、劣化した組電池２０の仕切プレート２４の構成の概略と組電池４０の交換用仕切プレート４４の構成の概略とをそれぞれ示す構成図である。各構成図中、図２と同方向から視た正面図を右側に示し、正面図に対応する左側面図を左側に示す。図中上側の仕切プレート２４は、樹脂などの射出成形により形成され、一方の面（正面図中の右側面）が電池モジュール２２の表面に当接する平面を構成している。また、他方の面（正面図中の左側面）には、図示しないブロワからの冷却風の流路を長手方向（左側面図中の左右方向）に形成するよう複数（５つ）の溝部２５と複数（４つ）のリブ部２６とが形成されている。これにより、電池モジュール２２は冷却風により冷却されて過熱するのが抑制される。図中下側の交換用仕切プレート４４も、基本的には仕切プレート２４と同様に、樹脂などの射出成形により形成され、一方の面（正面図中の右側面）が平面を構成し、他方の面（正面図中の左側面）には複数（６つ）の溝部４５と複数（５つ）のリブ部４６とが形成されているが、他方の面における溝部４５およびリブ部４６の配置が仕切プレート２４の溝部２５およびリブ部２６の配置と異なっている。組電池４０の交換用仕切プレート４４の溝部４５およびリブ部４６の配置が劣化した組電池２０の仕切プレート２４の溝部２５およびリブ部２６の配置と異なる理由について、次に説明する。なお、図２に示したように、組電池４０の交換用エンドプレート４８の電池モジュール２２への取り付け面に形成されたリブ（溝部とリブ部との組み合わせによるリブ）と、組電池２０のエンドプレート３２の電池モジュール２２への取り付け面に形成されたリブとの関係は、配置が異なる理由も含めて交換用仕切プレート４４と仕切プレート２４との関係と同様であるから、重複した説明を避けるため、これ以上の説明は省略する。
【００１８】
図４は、劣化した組電池２０の電池モジュール２２の内部（電池モジュール２２を構成するセルの内部）における圧力と電流密度と劣化度との関係と組電池４０の電池モジュール２２の内部（電池モジュール２２を構成するセルの内部）における圧力と電流密度と劣化度との関係との一例を示す説明図である。図中上側の組電池２０について、一点鎖線は組電池２０の製造直後（新品のとき）の状態（以下、第１初期状態という）を示し、実線は所定期間使用（充放電）された後であって組電池４０を組み立てるために電池モジュール２２の拘束が解かれる直前の状態（以下、第１終了状態という）を示すが、圧力については第１初期状態と第１終了状態とでは変わりないと考えられるため第１終了状態のみを示し、劣化度については第１初期状態で劣化は生じていないと考えられることから第１終了状態のみを示した。また、図中下側の組電池４０について、実線は比較のための組電池２０に用いられていたときの最後の状態、即ち組電池２０についての第１終了状態を示し、二点鎖線は組電池４０が組電池２０で使用された電池モジュール２２を用いて組み立てられた直後の状態（以下、第２初期状態という）を示し、破線は組電池４０がある程度使用（充放電）された後の状態（以下、再使用後状態という）を示すが、圧力については第２初期状態と再使用後状態とでは変わりないと考えられるため第１終了状態と再使用後状態とだけを示し、劣化度については第１終了状態と第２初期状態とでは変わりないと考えられることから第１終了状態と再使用後状態とだけを示した。図中上側に示すように、劣化した組電池２０では、複数の電池モジュール２２の間のそれぞれに仕切プレート２４を取り付けて電池モジュール２２を拘束する（更には充放電する）と、仕切プレート２４のリブ部２６から電池モジュール２２の取り付け面への圧力により電極（正極，負極）など電池モジュール２２のセル内部に圧力の不均衡が生じ、圧力と同傾向に内部抵抗の不均衡が生じる。これは、特にリチウムイオン電池の場合には電解液の塩濃度が比較的低いため、電池モジュール２２のセル内部で他より大きな圧力が作用する部位では電解液が押し出されやすく内部抵抗が大きくなりやすいなどの理由に基づく。このため、内部抵抗が小さい部位では電流密度が大きくなると共に内部抵抗が大きい部位では電流密度が小さくなり、この状態で電池モジュール２２のセルの充放電がある程度の期間行なわれると、電流密度が他より大きい部位では劣化が選択的に進行することになる。なお、電池モジュール２２の劣化度は、例えば、電池モジュール２２を拘束していないものとして電池モジュール２２のセル内部の部位でとりうる最大の電流密度に相当する値を例えば新品時の電流密度に相当する値などの基準値から減じた値などとして表すことができる。したがって、組電池２０をある程度の期間使用すると、電池モジュール２２のセル内部で劣化度の小さい部位が残存するにもかかわらず組電池全体として期待される電圧や容量などの性能を発揮することができなくなり、組電池２０は寿命に至ったと判断され、組電池２０を廃棄する必要や電池モジュールも含めて新たな組電池への交換の必要が生じてしまう。これに対し、実施例では、図中下側に示すように、組電池２０が寿命に至った判断される程に劣化したときに、組電池２０の仕切プレート２４を交換用仕切プレート４４に取り替えるのである。仕切プレート２４が電池モジュール２２の間に取り付けられていた状態と交換用仕切プレート４４が電池モジュール２２の間に取り付けられている状態とを比較すると、仕切プレート２４のリブ部２６に対応する位置には交換用仕切プレート４４の溝部４５が配置される。こうした配置により、第２初期状態の電池モジュール２２では、第１終了状態で劣化度の小さい部位への圧力が第１終了状態に比して小さくなり内部抵抗が小さくなるから、第１終了状態で劣化度の小さい部位の電流密度を第１終了状態に比して大きくすることができる。また、同様に比較すると、仕切プレート２４の溝部２５の一部に対応する位置に交換用仕切プレート４４のリブ部４６が配置される。こうした配置により、第２初期状態の電池モジュール２２では、第１終了状態で劣化度の大きい部位への圧力が第１終了状態に比して大きくなり内部抵抗が大きくなるから、第１終了状態で劣化度の大きい部位の電流密度を第１終了状態に比して小さくすることができる。これにより、再使用後状態の電池モジュール２２のセル内部では、劣化度の小さい部位が活用され、組電池２０の性能を回復させることができる。この結果、まだ劣化していない部位があるにも拘わらず組電池２０が廃棄されるのを抑制することができる。
【００１９】
以上説明した実施例の組電池の性能回復方法によれば、複数の電池セルを有する電池モジュール２２と冷却風の流路を形成する複数のリブが形成された仕切プレート２４とを複数積層してなる組電池２０が劣化したときに、仕切プレート２４を、仕切プレート２４の複数のリブとは異なる部位に複数のリブが形成された交換用仕切プレート４４に交換することにより組電池４０を構成するから、電池モジュール２２のセル内部では、劣化度の小さい部位が活用され、組電池２０の性能を回復させることができ、この結果、まだ劣化していない部位があるにも拘わらず組電池２０が廃棄されるのを抑制することができる。
【００２０】
実施例の組電池の性能回復方法では、複数の電池モジュール２２の間に取り付けられていた仕切プレート２４を新たな交換用仕切プレート４４に交換するものとしたが、仕切プレートは新たなものに交換しなくてもよい。例えば、図５の変形例の組電池の性能回復方法を劣化した組電池１２０に適用して組電池１４０を組み立てる様子に示すように、劣化した組電池１２０における固定バーによる複数の電池モジュール２２の拘束を解いた後に、組電池１２０の複数の電池モジュール２２の間から両面にリブが形成された仕切プレート１２４を取り外すと共にその仕切プレート１２４の両面をリブの長手方向を保持して（図５の上下関係を保持して）反転させ、電池モジュール２２の間に再び仕切プレート１２４を取り付け、固定バーにより複数の電池モジュール２２を拘束するよう固定することにより、組電池１４０を組み立てるものとすることができる。ここで、仕切プレート１２４は、図５に示すように、両面にリブが形成されると共に一方の面でリブが形成された部位に対向する他方の面の部位にはリブが形成されない部材となっており、組電池１２０における複数の電池モジュール２２の間に取り付けられていた状態と取り外し後に両面が反転されて組電池１４０における複数の電池モジュール２２の間に再び取り付けられた状態とを比較すると、各面の複数のリブが形成された部位とは異なる部位に複数のリブが配置される。こうした仕切プレート１２４を用いることによっても、組電池１２０の性能を回復させることができ、まだ劣化していない部位があるにも拘わらず組電池が廃棄されるのを抑制することができる。また、例えば、図６の変形例の組電池の性能回復方法を劣化した組電池２２０に適用して組電池２４０を組み立てる様子に示すように、劣化した組電池２２０の複数の電池モジュール２２の間から両面にリブが形成された仕切プレート２２４を取り外すと共にその仕切プレート２２４の両面をリブの長手方向に対して垂直方向に（図６の上下関係を交代させる方向に）反転させ、電池モジュール２２の間に再び仕切プレート２２４を取り付ける、ものとすることもできる。ここで、仕切プレート２２４は、図６に示すように、組電池２２０における複数の電池モジュール２２の間に取り付けられていた状態と取り外し後に両面が反転されて組電池２４０における複数の電池モジュール２２の間に再び取り付けられた状態とを比較すると、各面の複数のリブが形成された部位とは異なる部位に複数のリブが配置される。こうした仕切プレート２２４を用いることによっても、組電池２２０の性能を回復させることができ、まだ劣化していない部位があるにも拘わらず組電池が廃棄されるのを抑制することができる。さらに、例えば、図７の変形例の組電池の性能回復方向を劣化した組電池３２０に適用して組電池３４０を組み立てる様子に示すように、劣化した組電池３２０の複数の電池モジュール２２の間から片面にリブが形成された仕切プレート３２４を取り外すと共にその仕切プレート３２４の両面を反転させることなく（図７の上下関係を交代させるように）半周回転させ、電池モジュール２２の間に再び仕切プレート３２４を取り付ける、ものとすることもできる。ここで、仕切プレート３２４は、図７に示すように、組電池３２０における複数の電池モジュール２２の間に取り付けられていた状態と取り外し後に半周回転されて組電池３４０における複数の電池モジュール２２の間に再び取り付けられた状態とを比較すると、片面のリブが形成された部位とは異なる部位にリブ複数のリブが配置される。こうした仕切プレート３２４を用いることによっても、組電池３２０の性能を回復させることができ、まだ劣化していない部位があるにも拘わらず組電池が廃棄されるのを抑制することができる。
【００２１】
実施例の組電池の性能回復方法では、複数の電池モジュール２２の間に取り付けられていた仕切プレート２４に替えて新たな交換用仕切プレート４４を取り付ける際に、仕切プレート２４が電池モジュール２２の間に取り付けられていた状態と交換用仕切プレート４４が電池モジュール２２の間に取り付けられている状態とを比較して、仕切プレート２４のリブ部２６に対応する位置には交換用仕切プレート４４の溝部４５が配置され、仕切プレート２４の溝部２５の一部に対応する位置に交換用仕切プレート４４のリブ部４６が配置されるものとしたが、新たに取り付ける仕切プレートは複数の電池モジュール２２の間にそれぞれに取り付けられたときに電池モジュール２２の内部で他の部位に比して劣化の程度が小さい部位への圧力を小さくするものであればよいから、図８の変形例の組電池の性能回復方法を劣化した組電池４２０に適用して組電池４４０を組み立てる様子に示すように、劣化した組電池４２０で仕切プレート４２４が電池モジュール２２の間に取り付けられていた状態と組電池４４０で交換用仕切プレート４４４が電池モジュール２２に取り付けられている状態とを比較して、仕切プレート４２４のリブ部の一部に対応する位置には交換用仕切プレート４４４の溝部が配置され、仕切プレート４２４の溝部の全体に対応する位置に交換用仕切プレート４４４のリブ部が配置されるものとしてもよい。
【００２２】
実施例の組電池の性能回復方法では、組電池２０で複数の電池モジュール２２の間に取り付けられていた仕切プレート２４と組電池４０で複数の電池モジュール２２の間に取り付けられている交換用仕切プレート４４は共に片面に複数のリブが形成されているものとしたが、図９の変形例の組電池の性能回復方法を劣化した組電池５２０に適用して組電池５４０を組み立てる様子に示すように、劣化した組電池５２０で仕切プレート５２４が電池モジュール２２の間に取り付けられていた状態と組電池５４０で交換用仕切プレート５４４が電池モジュール２２に取り付けられている状態とを比較して、仕切プレート５２４の複数のリブが形成された部位と交換用仕切プレート５４４の複数のリブが形成された部位とが異なる関係を各プレートの両面で有するものとしてもよい。
【００２３】
実施例の組電池の性能回復方法では、劣化した組電池２０の仕切プレート２４や組電池４０の交換用仕切プレート４４では長手方向にのみ溝ができるようにリブが形成されるものとしたが、仕切プレートに形成されたリブは格子状に形成されるなどとしてもよい。
【００２４】
実施例の組電池の性能回復方法では、リチウムイオン電池である二次電池としての複数のセルを有する電池モジュール２２を複数積層することにより組電池２０や組電池４０が構成されるものとしたが、電池モジュール２２は単一のセルにより構成されているものとしてもよいし、リチウムイオンとは異なるニッケル水素電池などの他のタイプの二次電池としての複数のセルを有する電池モジュール２２を複数積層することにより組電池が構成されるものとしてもよい。
【００２５】
実施例の組電池の性能回復方法では、組電池２０が所定期間の使用により寿命に至ったと判断される程に劣化したときに仕切プレート２４を交換用仕切プレート４４に交換するものとしたが、組電池２０が寿命に至る前でもある程度劣化したときに仕切プレート２４を交換用仕切プレート４４に交換するものとしても構わない。
【００２６】
実施例では、組電池の性能回復方法を組電池２０に適用したものとして説明したが、図５，図６，図７の変形例の組電池の性能回復方法に用いられる仕切プレート１２４，２２４，３２４をそれぞれ備える組電池１２０，２２０，３２０や組電池１４０，２４０，３４０などの組電池の形態に適用してもよい。
【００２７】
実施例の主要な要素と課題を解決するための手段の欄に記載した発明の主要な要素との対応関係について説明する。実施例では、二次電池としての複数のセルを有する電池モジュール２２が「電池モジュール」に相当し、仕切プレート２４が「プレート」に相当し、交換用仕切プレート４４が「交換用プレート」に相当する。また、仕切プレート１２４，２２４，３２４，４２４，５２４も「プレート」に相当し、仕切プレート１２４，２２４，３２４および交換用仕切プレート４４４，５４４も「交換用プレート」に相当する。
【００２８】
ここで、「電池モジュール」としては、二次電池としての複数のセルを有する電池モジュール２２に限定されるものではなく、二次電池としての単一のセルにより構成された電池モジュールなど少なくとも１つの単電池を有するものであれば如何なるものとしても構わない。「プレート」としては、仕切プレート２４や仕切プレート１２４，２２４，３２４，４２４，５２４に限定されるものではなく、冷却媒体の流路を形成する複数のリブが形成されたものや半周回転させると複数のリブが形成された部位とは異なる部位に複数のリブが配置されるものであれば如何なるものとしても構わない。「交換用プレート」としては、交換用仕切プレート４４や仕切プレート１２４，２２４，３２４，交換用仕切プレート４４４，５４４に限定されるものではなく、プレートの複数のリブが形成された部位とは異なる部位に複数のリブが形成されたものであれば如何なるものとしても構わない。
【００２９】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３０】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３１】
本発明は、組電池の製造産業などに利用可能である。
【符号の説明】
【００３２】
２０，４０，１２０，１４０，２２０，２４０，３２０，３４０，４２０，４４０，５２０，５４０  組電池、２２  電池モジュール、２４，１２４，２２４，３２４，４２４，５２４  仕切プレート、２５，４５  溝部、２６，４６  リブ部、３０，３２  エンドプレート、３１ａ，３１ｂ，３３ａ，３３ｂ  ボルト取り付け部、３４，３５，３７  固定バー、３６ａ，３６ｂ，３８ａ，３８ｂ  ボルト、４４，４４４，５４４  交換用仕切プレート、４８  交換用エンドプレート。
【図１】
2011096548.tif 000003
【図２】
2011096548.tif 000004
【図３】
2011096548.tif 000005
【図４】
2011096548.tif 000006
【図５】
2011096548.tif 000007
【図６】
2011096548.tif 000008
【図７】
2011096548.tif 000009
【図８】
2011096548.tif 000010
【図９】
2011096548.tif 000011